(57)【要約】【課題】極僅かな配線スペースに配線が可能であり、且つ、スライドを伴う動作に対して優れた耐性を有するケーブルハーネスを提供する。【解決手段】複数本の電線２からなる電線群３と電線群３の外周を一括して覆う編組スリーブ４とを有するケーブル本体５と、ケーブル本体５の端部に接続された接続端末６とを備えたケーブルハーネス１において、編組スリーブ４は、押し込み回復率が９０％以上の高張力体１１と高張力体１１の表面に巻き付けられた金属条１２とからなる編組用素線８を編組して形成されているものである。【選択図】図１
2012015091.tif 000002
【特許請求の範囲】
【請求項１】
複数本の電線からなる電線群と前記電線群の外周を一括して覆う編組スリーブとを有するケーブル本体と、前記ケーブル本体の端部に接続された接続端末とを備えたケーブルハーネスにおいて、
前記編組スリーブは、押し込み回復率が９０％以上の高張力体と前記高張力体の表面に巻き付けられた金属条とからなる編組用素線を編組して形成されていることを特徴とするケーブルハーネス。
【請求項２】
前記編組用素線は、押し込み回復率が８０％以上である請求項１に記載のケーブルハーネス。
【請求項３】
前記金属条は、前記高張力体の表面に突合せ巻きにて螺旋状に巻き付けられる請求項１又は２に記載のケーブルハーネス。
【請求項４】
前記高張力体は、引張強度が７００ＭＰａ以上のＰＥＴからなり、前記金属条は、引張強度が７００ＭＰａ以上の銅合金からなる請求項１〜３のいずれかに記載のケーブルハーネス。
【請求項５】
前記金属条は、表面に錫めっきが施されている請求項１〜４のいずれかに記載のケーブルハーネス。
【請求項６】
前記高張力体は、単線である請求項１〜５のいずれかに記載のケーブルハーネス。
【請求項７】
前記金属条は、線状の銅合金線を圧延加工、あるいは引抜加工して形成された銅合金条からなる請求項１〜６のいずれかに記載のケーブルハーネス。
【請求項８】
前記金属条は、前記銅合金線の圧延加工後における引張強度が前記銅合金線の圧延加工前における引張強度よりも大きい請求項７に記載のケーブルハーネス。
【請求項９】
前記金属条は、前記銅合金線の圧延加工後における破断伸びが前記銅合金線の圧延加工前における破断伸びよりも大きい請求項７に記載のケーブルハーネス。
【請求項１０】
前記金属条は、銅合金線の圧延加工前における破断伸びに対する前記銅合金線の圧延加工後における破断伸びと前記銅合金線の圧延加工前における破断伸びとの差の割合が１０％以上６０％以下である請求項９に記載のケーブルハーネス。
【発明の詳細な説明】
【技術分野】
【０００１】
本発明は、携帯電話機、ノートパソコン、小型ビデオカメラ等の情報通信電子機器（電子機器）の可動部に使用されるケーブルハーネスに関するものである。
【背景技術】
【０００２】
携帯電話機、ノートパソコン、小型ビデオカメラ、携帯情報端末（Personal Digital Assistant：ＰＤＡ）等の電子機器において、電子機器の操作等を行うための本体部と液晶ディスプレイ等の表示部とを繋ぐ連結部は、折り畳み構造（開閉式）となっている場合が多い。このような構造の連結部の場合、本体部と表示部との間を接続する信号伝送用の配線材には、従来、比較的可撓性があると共に、フラット状で薄型化された電子機器の内部に配置可能なフレキシブルプリント基板（Flexible Printed Circuit：ＦＰＣ）がよく用いられている。
【０００３】
一方、近年の電子機器は、その電子機器の本体部と表示部とが回動式、捻回式に連結された構造のものが採用されるようになった上、信号線から放射される電磁波によって回路間に電磁干渉（Electro-Magnetic Interference：ＥＭＩ）が生じるのを抑制することが必要とされる。
【０００４】
これら回動、捻回を行う可動部に適用される配線材として、複数の細径化された電線（例えば、極細同軸ケーブル）と、高張力繊維糸の表面に銅箔テープをラップ巻きにして形成された複数本の銅箔糸からなり、これら電線の外周を覆う編組スリーブとを有するケーブルハーネスがある（例えば、特許文献１参照）。
【０００５】
特許文献１によれば、電線によるインピーダンス整合とＥＭＩ特性を確保し、電線に並列に設けた銅箔糸により屈曲、捻回特性を損なうことなく、電線の外部導体の両端でのグランド電位差を軽減することができるとされている。
【先行技術文献】
【特許文献】
【０００６】
【特許文献１】特開２００６−２４３７２号公報
【発明の概要】
【発明が解決しようとする課題】
【０００７】
近年の電子機器では、表示部が本体部に対してスライドするような構造のものが採用されることが多くなってきている。このため、このようなスライドを伴う構造の電子機器に配線される配線材は、表示部と本体部との間で、屈曲しながら配線材自体がスライドするように動作することになる。また、近年の電子機器では、更なる薄型化が急速に求められているのに伴い、表示部と本体部との間に配線される配線材の配線スペースにおいても薄型化が求められている。このため、配線材は、例えば、約３．０ｍｍ未満の高さの配線スペースに配線され、可動時にはこの高さの範囲の配線スペース内で屈曲やスライドを伴う動作をさせるような厳しい使用環境となる。
【０００８】
ところが、従来のケーブルハーネスでは、屈曲とスライドとを伴う動作についてまで考慮されていないため、編組スリーブで覆われた部分の直進性が弱く、スライドを伴う動作に対する耐性が不十分である。このため、上述した高さの配線スペース内でスライドを伴う動作をさせる配線材として用いることが難しい。仮に配線ができたとしても、スライドを伴う動作がスムーズにできないと言う問題があった。
【０００９】
そこで、本発明の目的は、極僅かな配線スペースに配線が可能であり、且つ、スライドを伴う動作に対して優れた耐性を有するケーブルハーネスを提供することにある。
【課題を解決するための手段】
【００１０】
本発明は上記目的を達成するために創案されたものであり、複数本の電線からなる電線群と前記電線群の外周を一括して覆う編組スリーブとを有するケーブル本体と、前記ケーブル本体の端部に接続された接続端末とを備えたケーブルハーネスにおいて、前記編組スリーブは、押し込み回復率が９０％以上の高張力体と前記高張力体の表面に巻き付けられた金属条とからなる編組用素線を編組して形成されているケーブルハーネスである。
【００１１】
前記編組用素線は、押し込み回復率が８０％以上であると良い。
【００１２】
前記金属条は、前記高張力体の表面に突合せ巻きにて螺旋状に巻き付けられると良い。
【００１３】
前記高張力体は、引張強度が７００ＭＰａ以上のＰＥＴからなり、前記金属条は、引張強度が７００ＭＰａ以上の銅合金からなると良い。
【００１４】
前記金属条は、表面に錫めっきが施されていると良い。
【００１５】
前記高張力体は、単線であると良い。
【００１６】
前記金属条は、線状の銅合金線を圧延加工、あるいは引抜加工して形成された銅合金条からなると良い。
【００１７】
前記金属条は、前記銅合金線の圧延加工後における引張強度が前記銅合金線の圧延加工前における引張強度よりも大きいと良い。
【００１８】
前記金属条は、前記銅合金線の圧延加工後における破断伸びが前記銅合金線の圧延加工前における破断伸びよりも大きいと良い。
【００１９】
前記金属条は、銅合金線の圧延加工前における破断伸びに対する前記銅合金線の圧延加工後における破断伸びと前記銅合金線の圧延加工前における破断伸びとの差の割合が１０％以上６０％以下であると良い。
【発明の効果】
【００２０】
本発明によれば、極僅かな配線スペースに配線が可能であり、且つ、スライドを伴う動作に対して優れた耐性を有するケーブルハーネスを提供することができる。
【図面の簡単な説明】
【００２１】
【図１】本発明の一実施形態に係るケーブルハーネスを示す側面図である。
【図２】図１のケーブルハーネスの編組スリーブで覆われた部分を示す拡大図である。
【図３】図１のケーブルハーネスの編組スリーブを構成する編組用素線を示す図である。
【図４】押し込み回復率の測定方法を説明する図である。
【図５】実施例におけるスライド試験の方法を説明する図である。
【発明を実施するための形態】
【００２２】
以下、本発明の好適な実施の形態を添付図面にしたがって説明する。
【００２３】
図１は、本実施の形態に係るケーブルハーネスを示す側面図である。
【００２４】
図１に示すように、本実施の形態に係るケーブルハーネス１は、複数本の電線２からなる電線群３と電線群３の外周を一括して覆う編組スリーブ４とを有するケーブル本体５と、ケーブル本体５の端部に接続された接続端末６とを備える。編組スリーブ４の端部には、機器内のグランド部に電気的に接続されるグランド接続部７が固定される。
【００２５】
ここで電線群３に用いる電線２としては、中心導体の外周を絶縁被覆で絶縁された絶縁被覆線の外周に、外部導体とジャケットとを有する同軸ケーブル、あるいはこの同軸ケーブルを複数本用いて形成されたＬＶＤＳ用４心対角同軸線（Quad-X）や、２心平行同軸ケーブル（Twinaxケーブル）、及びツイストペアケーブルが考えられ、これらの電線の内いずれか一種類のみを複数本集めたもの、又は、少なくとも二種類以上の電線を集めたものを用いることができる。なお、絶縁被覆線のみからなる電線群３を用いる場合には、編組スリーブ４の端部のみを機器のグランド部に電気的に接続する。
【００２６】
編組スリーブ４は、導電性の編組用素線８を編組して形成され、その端末においてほどけないようにするための固定部材である粘着テープ９で巻かれて電線群３と共に固定されている。図２に示すように、編組用素線８を複数本用い、電線群３の周囲に所定の内径かつ所定の編組ピッチで、編組用素線８が交差するようにすることで編組用素線８を編組して筒状の編組スリーブ４が構成される。なお、編組用素線８を編組して編組スリーブ４を形成した後、編組スリーブ４の内部に電線群３を挿通させることであってもよい。
【００２７】
グランド接続部７は、スライドを行う可動部を有する機器（図示せず）のグランド部に電気的に接続しやすいように、編組用素線８の延長部１０が粘着テープ９よりも外側（接続端末６側）に延ばして設けられる。
【００２８】
このケーブルハーネス１では、ケーブル本体５の端部に接続された接続端末６が、その接続方向がケーブル本体５の長手方向に直交するように配置されている。電線群３を構成する各電線２は、粘着テープ９の図示左右から左又は右に伸び、接続端末６の各極に対向する位置で１本ずつ略直角（図１では上側）に曲げられて分離され、そのまま真っ直ぐ接続端末６の各極まで伸びている。
【００２９】
さて、ケーブルハーネス１は、図３に示すように、押し込み回復率が９０％以上の高張力体１１と高張力体１１の表面に突き合わせ巻きで巻き付けられた金属条１２とからなる編組用素線８を編組して編組スリーブ４が形成される。特に、編組スリーブ４に用いる編組用素線８は、押し込み回復率が８０％以上であることが好ましい。なお、編組用素線８の押し込み回復率は、高張力体１１の表面に巻き付けられる金属条１２の巻き付け方法、巻き付ける際のピッチ、厚さ等を適宜調整することにより変更が可能である。
【００３０】
ここで、高張力体の押し込み回復率の測定方法について説明する。
【００３１】
図４に示すように、（１）真っ直ぐに置いた初期長さＬ1ｍｍ（Ａ点とＢ点との間の距離）の高張力体４０の片側（Ａ点）を固定し、（２）高張力体４０の他端（Ｂ点）をＡ点の方向にＢ’点まで（Ｌ2ｍｍ＝０．９×Ｌ1ｍｍ）移動させて押し込んだ後、高張力体４０の片側（Ａ点）を固定した状態で高張力体４０の他端（Ｂ’点）の押し込みを解除する。
【００３２】
そして、（３）押し込みを解除したことによる弾力で戻された高張力体４０の他端の位置（点Ｂ’’）から高張力体４０の片側（Ａ点）までの直線距離ＡＢ’’を押し込み回復長とし、初期長さＡＢ（Ｌ1ｍｍ）に対する押し込み回復長ＡＢ’’の比率を高張力体４０の押し込み回復率とする。
【００３３】
なお、編組用素線８の押し込み回復率は、上述した高張力体４０の押し込み回復率の測定方法と同様にして得られる。
【００３４】
高張力体１１は、単線であっても良いし、複数本の繊維を束ねたものであっても良い。但し、複数本の繊維を束ねてなる高張力体は柔らかいため、９０％以上の押し込み回復率を得るためには、単線の高張力体１１に比べて外径を大きくしなければならないことや、複数本の繊維を束ねてなる高張力体は単線の高張力体１１に比べて外観が凸凹しており、表面に金属条１２を巻き付けた際に金属条１２の表面も凸凹になって、ケーブルハーネス１を屈曲させたときに、編組された編組用素線８において金属条１２の凸凹な表面同士が擦れてしまうことを考えると、単線であった方がより好ましい。
【００３５】
高張力体１１の外径は、０．０５ｍｍ以上０．１０ｍｍ以下とすることが好ましい。高張力体１１の外径が０．０５ｍｍ未満であると、高張力体１１の剛性が弱いため、編組スリーブ４の伸縮弾性が低下し、ケーブルハーネス１を屈曲させたときに、編組スリーブ４の網目が開きやすくなり、容易に電線２の表面が露出して、断線が生じてしまう問題やＥＭＩ特性が低下してしまう問題が生じる。また、高張力体１１の外径が０．１０ｍｍを超える場合、編組スリーブ４の厚さが厚くなるため、ケーブルハーネス１の外径が太くなって、極僅かな高さの配線スペースで屈曲やスライドを行うことが難しくなる。
【００３６】
この編組用素線８において、スライドを伴う動作に対する耐性等を考慮すると、高張力体１１は、線状に形成された引張強度が７００ＭＰａ以上のＰＥＴやＰＥＥＫからなり、金属条１２は、線状に形成された引張強度が７００ＭＰａ以上の銅合金（例えば、９９．３Ｃｕ−０．７Ｓｎ、あるいは９９．７Ｃｕ−０．３Ｓｎの銅合金条）からなると良い。このような材質にすることにより、ケーブルハーネス１を屈曲させたときにその曲げ部で高張力体１１や金属条１２が断線したりすることを防止できる。なお、金属条には、上記の引張強度を有する断面が円形状の銅合金線に圧延加工あるいは引抜加工を施して断面が略四角形状にしたものが好適である。
圧延などの加工を施して得られる金属条は、銅合金線の圧延加工後における引張強度（σ1）が銅合金線の圧延加工前における引張強度（σ0）よりも大きいことが好ましい。特に、銅合金線の圧延加工前における引張強度（σ0）に対する銅合金線の圧延加工後における引張強度（σ1）と銅合金線の圧延加工前における引張強度（σ0）との差の割合（加工による引張強度の増加率＝１００×（σ1−σ0）／σ0）が０％より大きく５０％以下（０％＜１００×（σ1−σ0）／σ0≦５０％）であると良い。なお、銅線又は銅合金線の圧延加工前における引張強度（σ0）は、３００ＭＰａ以上であると良い。
また、加工を施して得られる金属条は、銅合金線の圧延加工後における破断伸び（δ1）が銅合金線の圧延加工前における破断伸び（δ0）よりも大きいことが好ましい。特に、銅合金線の圧延加工前における破断伸び（δ0）に対する銅合金線の圧延加工後における破断伸び（δ1）と銅合金線の圧延加工前における破断伸び（δ0）との差の割合（加工による破断伸びの増加率＝１００×（δ1−δ0）／δ0）が１０％以上６０％以下（１０％≦１００×（δ1−δ0）／δ0≦６０％）であると良く、２０％以上５０％以下であるとさらによい。なお、銅線又は銅合金線の圧延加工前における破断伸び（δ0）は、０．５０％以上であると良い。
このような引張強度、破断伸びを有する金属条を用いることにより、編組用素線８を編組して形成した編組スリーブに、スライド動作に追従するための剛性（硬さと柔らかさとのバランス）を付与することができる。このため、ケーブルハーネスを極僅かな配線スペースに配線した場合であっても、スライドを伴う動作に対して優れた耐性を効果的に発現することができる。なお、上述した銅合金線の引張強度（σ）および破断伸び（δ）は、ＪＩＳ規格（ＪＩＳ  Ｚ  ２２４１「金属材料引張試験方法」）に準拠した試験方法によって得られる。
【００３７】
また、金属条１２は、金属条１２の酸化によるシールド特性の劣化等を防止すべく、表面に錫めっきが施される。また、錫めっきにより半田濡れ性を向上させることもできる。
【００３８】
金属条１２は、高張力体１１の表面に突合せ巻きにて（金属条１２の側面同士が接するように）螺旋状に巻き付けられると良い。このような構成とすることにより、金属条１２の表面に段差のない均一な外観を付与することができるため、ケーブルハーネス１を屈曲させながらスライドさせたときに、電線２のジャケット（外部被覆）との擦れ摩擦を低減することができる。これにより、狭いスペースでの金属条１２の断線へ達するまでの寿命を上げ、２０万回以上のスライド動作に耐えることができる。なお、図３では、編組用素線８が高張力体１１上に金属条１２を巻き付けたものからなることを明確となるよう、便宜上、金属条１２の側面同士が接触しない状態とした。
【００３９】
金属条１２の厚さは、０．００５ｍｍ以上０．０１３ｍｍ未満であると良い。金属条１２の厚さが０．００５ｍｍ未満であると、金属条１２の導体抵抗が大きいため、低周波（１００ＭＨｚ以下）での編組スリーブ４のＥＭＩ特性が十分とは言えず、また、電子機器筐体との擦れ等で金属条１２が断線してしまう虞がある。金属条１２の厚さが０．０１３ｍｍ以上であると、金属条１２の剛性が強くなり、高張力体１１への巻き付けが難しくなる。また、編組用素線８が太くなってしまうので、極僅かな高さの配線スペースで屈曲やスライドを行うことが難しくなる。
【００４０】
この編組用素線８は、外径が０．１３ｍｍ以下であり、電線２は、外径が０．２７ｍｍ以下であることが好ましい。通常、電線２（同軸ケーブル）が５０本使用されることから、電線２の１本当たりの外径を０．２７ｍｍ以下、編組用素線８の１本当たりの外径を０．１３ｍｍ以下とすることにより、ケーブルハーネス１を高さ３．０ｍｍ未満の狭い配線スペースに配線することができる。
【００４１】
このような構成の編組スリーブ４を用いることにより、ケーブルハーネス１に高い直進性と可撓性を付与することができるため、極僅かな高さの配線スペースにおいてケーブルハーネス１を２０万回以上繰り返しスライドさせても断線が生じないようにすることができる。
【００４２】
また、高張力体１１の高い剛性によって編組スリーブ４全体がバネのように伸縮弾性を持つことができ、スライドを伴う可動部において編組スリーブ４の網目が開きにくく、ケーブルハーネス１のＥＭＩ特性が低下しにくい（従来と同等のＥＭＩ特性を得られる）。
【００４３】
また、編組スリーブ４と電線２のジャケットが直接接触された可動部においても、ジャケットと金属条１２との擦れによるジャケット割れが発生しにくくなる。
【００４４】
以上要するに、複数本の電線からなる電線群と前記電線群の外周を一括して覆う編組スリーブとを有するケーブル本体と、前記ケーブル本体の端部に接続された接続端末とを備え、前記編組スリーブは、押し込み回復率が９０％以上の高張力体と前記高張力体の表面に巻き付けられた金属条とからなる編組用素線を編組して形成されているケーブルハーネス１とすることにより、極僅かな配線スペースに配線が可能となり、且つ、２０万回以上のスライド動作が可能であるケーブルハーネスを提供することができる。
【実施例】
【００４５】
以下、実施例を説明する。本実施例では、以下の方法にて、スライド特性の評価を行った。
【００４６】
なお、試料に用いた電線としては、外径０．０２ｍｍの銅合金線を７本より合わせて形成された中心導体の外周に、ＰＦＡからなる絶縁被覆（厚さ０．０５ｍｍ）が形成されており、この絶縁被覆の外周に、複数本の錫めっき銅合金線（外径０．０２５ｍｍ、引張強度７００ＭＰａ）を螺旋状に横巻きして形成された外部導体と、外部導体の周囲に形成されたＰＦＡからなるジャケットとを有する同軸ケーブル（外径０．２７ｍｍ）を用いた。
【００４７】
また、編組スリーブとしては、表１に示す押し込み回復率を有するＰＥＴからなる線状の高張力体（外径０．０８ｍｍ、引張強度８００ＭＰａ）の外周に、断面が円形状の銅合金線（外径０．０５ｍｍ）に圧延加工を施して断面が略四角形状である錫めっき銅合金（９９．７Ｃｕ−０．３Ｓｎ、引張強度σ0：８００ＭＰａ、σ1：８４０ＭＰａ、破断伸びδ0：１．０８％、δ1：１．４４％）からなる金属条（厚さ０．０１２ｍｍ）を突き合わせ巻きで巻き付けして形成された表１に示す押し込み回復率を有する編組用素線（外径０．１０４ｍｍ）を複数本用意し、これらの編組用素線を交差するように編組して形成したものを用いた。
【００４８】
先ず、電線（同軸ケーブル）を編組スリーブに挿入した外径約１．５ｍｍの試料を作製し、約２．０ｍｍの高さの配線スペース内に試料を配線した後、図５に示すように、この試料５０の片端を固定し、固定していない他端をスライド内幅１５ｍｍになるように曲げ、ストローク長は６０ｍｍとし、矢印（１）、（２）の順で１サイクル（１回）として、Ｕ字スライドの動作をさせた。
【００４９】
試験速度は、単位時間に行われるサイクルの回数が３０回／分とする。また、ケーブルに常時数Ｖの電圧を加え、電流値が試験開始時に比べて２０％低下した時点をケーブルの寿命とし、試料５０が何サイクルで寿命となるかを求めた。その結果を表１に示す。
【００５０】
【表１】
2012015091.tif 000003
【００５１】
本試験においては、スライド回数が２０万回以上のものを「○：合格」、２０万回未満のものを「×：不合格」とした。
【００５２】
表１に示す通り、高張力体の押し込み回復率が９０％以上である実施例１〜２では、スライド回数は２０万回以上をクリアしていることが判る。
【００５３】
一方、高張力体の押し込み回復率が８５％（９０％未満）である比較例１では、スライド回数は２０万回を大きく下回っていた。
【００５４】
従って、高張力体の押し込み回復率は９０％以上が望ましい。
【００５５】
以上より、本発明によれば、複数本の電線からなる電線群と前記電線群の外周を一括して覆う編組スリーブとを有するケーブル本体と、前記ケーブル本体の端部に接続された接続端末とを備え、前記編組スリーブは、押し込み回復率が９０％以上の高張力体と前記高張力体の表面に巻き付けられた金属条とからなる編組用素線を編組して形成されているケーブルハーネスとしたことにより、極僅かな配線スペースに配線が可能であり、且つ、スライドを伴う動作に対して優れた耐性を有するケーブルハーネスを提供することができる。
【符号の説明】
【００５６】
１  ケーブルハーネス
２  電線
３  電線群
４  編組スリーブ
５  ケーブル本体
６  接続端末
８  編組用素線
１１  高張力体
１２  金属条
【図１】
2012015091.tif 000004
【図２】
2012015091.tif 000005
【図３】
2012015091.tif 000006
【図４】
2012015091.tif 000007
【図５】
2012015091.tif 000008